(57)【要約】【課題】摺動部材に対して筆記体の軸部を簡単にカシメて固定することができ、且つ摺動部材に対し筆記体が揺動して傾斜できる構造とする。【解決手段】摺動部材１１の下方部に筆記体１０の軸部１０ａの内側で遊嵌する接続部１１ｅを設けると共に、接続部１１ｅの上方位置に軸部１０ａの上端縁１０ｄと当接する当接部１１ｆと、当接部１１ｆより上方へ傾斜する傾斜部１１ｇ，１１ｈとを形成し、摺動部材１１の接続部１１ｅを軸部１０ａに遊嵌させた上で軸部１０ａの上端縁１０ｄを当接部１１ｆへ当接した状態にして、軸部１０ａの側面より接続部１１ｅをカシメて軸部１０ａを摺動部材１１に対して揺動可能に固定する。【選択図】図７
2011011375.tif 000002
【特許請求の範囲】
【請求項１】
金属からなる筒状の軸部を後方に有した筆記体を、前方の先窄み部に先端開口部を有した軸筒内へ収容し、前記軸部の後部に連結した摺動部材を前後動させることにより、前記筆記体の筆記先端を前記軸筒の先端開口部より出没させる繰出式多芯筆記具における筆記体と摺動部材との連結構造において、前記摺動部材の下方部に前記筆記体の軸部の内側で遊嵌する接続部を設けると共に、当該接続部の上方位置に前記軸部の上端縁と当接する当接部と、該当接部より上方へ傾斜する傾斜部とを形成し、前記摺動部材の接続部を前記軸部に遊嵌させた上で前記軸部の上端縁を前記当接部へ当接した状態にして、前記軸部の側面より前記接続部をカシメて該軸部を前記摺動部材に対して揺動可能に固定することにより、前記軸部材が前記摺動部材に対して傾斜する際に該軸部の上端縁を前記傾斜部側へ傾けることを特徴とする筆記体と摺動部材との連結構造。
【発明の詳細な説明】
【技術分野】
【０００１】
本発明は、金属からなる筒状の軸部を有した筆記体を、前方の先窄み部に先端開口部を有した軸筒内へ収容し、前記軸部の後端に連結した摺動部材を前後動させることにより、筆記体の筆記先端を軸筒の先端開口部より出没させる繰出式多芯筆記具に関する。
【背景技術】
【０００２】
従来、筆記具の軸筒内に複数の筆記体を収容し、軸筒の側面より突出させたスライダーを前後動させたり、後軸を前軸に対して回転させ内部の回転カムを回動させることにより、筆記体の筆記先端を軸筒の先端開口部より出没させる構造の繰出式多芯筆記具はよく知られている。前記スライダーを前後動させる構造も、後軸を前軸に対して回転させる構造も、いずれも筆記体の後部に樹脂材からなる摺動部材が連接されており、特に最近では、例えば特開２００７−３８６３５号公報に開示されているような、軸筒の後端部にヒンジで接続した蓋体を開閉することにより、軸筒内に複数収容した筆記体をユーザーの好みに応じて交換できる構造のスライド繰出式多芯筆記具が市場に存在している。前記特開２００７−３８６３５号公報に記載されている構造の筆記具における筆記体としては、ボールペンやシャープペンシルあるいはマーカーペン等が考えられている。特にシャーペンシルは書き消しを簡単に行なえることから、ノートや手帳に筆記する機会が多い学生や会社員から、前述の蓋体を有した構造の筆記具へ組込まれることが強く求められている。
【０００３】
ところで一つの軸筒内に複数の筆記体を収容させる構造では、それぞれの筆記体の軸径を細く設定する必要があり、シャープペンシルの芯折れを防ぐためや、あるいは内部に耐光性の低いインキを収容したボールペンでは、筆記体の軸部として、金属パイプで形成した軸部材を用いることが多い。この金属パイプからなる軸部は金属の加工性のよさを利用したカシメによる固定が行いやすいことから、筆記体の後方に連結する摺動部材に対して軸部をカシメにて固定する方法が採用されている。このような金属パイプからなる軸部を筆記体に用いた多芯筆記具においては、軸筒内に収容した複数の筆記体を軸筒の先端開口部より一本ずつ出没させるために、筆記先端部が先端開口部に向かうように、摺動部材に対して筆記体が傾斜できる構造が必要となる。
【０００４】
図１２は、従来における金属パイプを軸部として後方に有する筆記体と摺動部材との連結構造であるが、摺動部材５１に対して軸部５０ａがカシメ部５０ｅを支点に図中の矢印方向に揺動して傾斜できるようにするため、筆記体の軸部５０ａと摺動部材５１の接続部５１ｅとをカシメで固定する工程において、図１３に示すように軸部５０ａの上端縁５０ｄと摺動部材５１の座５１ｆとの間にクリアランス（Ｋ）を設けてカシメポンチ１００でカシメを行う必要があり、手間が掛かっていた。
【先行技術文献】
【特許文献】
【０００５】
【特許文献１】特開２００７−３８６３５号公報
【発明の概要】
【発明が解決しようとする課題】
【０００６】
本発明では、摺動部材に対して筆記体の軸部を簡単にカシメて固定することができ、且つ摺動部材に対し筆記体が揺動して傾斜できる構造とすることを目的とした。
【課題を解決するための手段】
【０００７】
本発明は、
「金属からなる筒状の軸部を後方に有した筆記体を、前方の先窄み部に先端開口部を有した軸筒内へ収容し、前記軸部の後部に連結した摺動部材を前後動させることにより、前記筆記体の筆記先端を前記軸筒の先端開口部より出没させる繰出式多芯筆記具における筆記体と摺動部材との連結構造において、前記摺動部材の下方部に前記筆記体の軸部の内側で遊嵌する接続部を設けると共に、当該接続部の上方位置に前記軸部の上端縁と当接する当接部と、該当接部より上方へ傾斜する傾斜部とを形成し、前記摺動部材の接続部を前記軸部に遊嵌させた上で前記軸部の上端縁を前記当接部へ当接した状態にして、前記軸部の側面より前記接続部をカシメて該軸部を前記摺動部材に対して揺動可能に固定することにより、前記軸部材が前記摺動部材に対して傾いた際に該軸部の上端縁が前記傾斜部側に傾くことを特徴とする筆記体と摺動部材との連結構造。」である。
【０００８】
摺動部材に形成する傾斜部は、筆記先端を軸筒の先端開口部より突出させた状態において、筆記体の軸部が軸筒の先端開口部に向かって傾斜できるように、傾斜方向および傾斜角を形成することが肝要である。
【発明の効果】
【０００９】
本発明は前述した構造なので、摺動部材の接続部を筆記体の軸部に遊嵌させていることから、摺動部材と筆記体とがカシメ部を基点に相互に揺動することができ、軸部材が摺動部材に対して傾いたときには、筆記体の軸部の上端縁が摺動部材の傾斜部側へ傾くことで、筆記体の軸部が中間部で撓むことなく、筆記体の筆記先端を軸筒の先端開口部より出没させることができるようになった。
【図面の簡単な説明】
【００１０】
【図１】図１は、本実施例の繰出式多芯筆記具であり、シャープペンシル体とボールペン体とを取り外した状態の斜視図である。
【図２】図２は、本実施例の繰出式多芯筆記具の断面図である。
【図３】図３は、ボールペン体を操作した状態の断面図である。
【図４】図４は、シャープペンシル体を操作した状態の斜視図である。
【図５】図５は、シャープペンシル体を操作した状態の断面図である。
【図６】図６は、図５の要部拡大断面図である。
【図７】図７は、図５の斜視図である。
【図８】図８は、筆記体の軸部と摺動部材とをカシメで固定する工程を示す図である。
【図９】図９は、筆記体の軸部と摺動部材とをカシメで固定した状態を示す図である。
【図１０】図１０は、軸筒に筆記体を装着する状態を示す図である。
【図１１】図１１は、図１０の要部斜視図である。
【図１２】図１２は、従来構造で、摺動部材に対し筆記体を回動させた状態を示す図である。
【図１３】図１３は、従来構造で、筆記体の軸部と摺動部材とをカシメで固定する工程を示す図である。
【発明を実施するための形態】
【００１１】
以下、図面を参照して本発明を採用した繰出式多芯筆記具の実施例について説明を行う。尚、図面中の同じ部材、同じ部品については同じ番号を付してある。本実施例の説明においては図面の下方を前方と表現し、反対側を後方と表現する。
【実施例】
【００１２】
図１，図２に示すように繰出式多芯筆記具１は、前軸２の雌螺子部２ａと後軸３の雄螺子部３ａとを螺合して構成した軸筒本体４の後方に、軸芯に沿った方向に開口した３つの切欠窓３ｂ、３ｃ、３ｄを形成してあり、軸筒４内に収容されるシャープペンシル体１０，ボールペン体２０，ボールペン体４０の後方部に連結して一体とした摺動部材１１，２１，４１を、前記切欠窓３ｂ，３ｃ，３ｄへ摺動可能に配設する構造である。尚、図２では、前記シャープペンシル体１０と、ボールペン体２０とを見せた断面としてあり、ボールペン体４０は省略した図としてある。
【００１３】
シャープペンシル体１０は、金属パイプからなる軸部１０ａを、後軸３内のコイルスプリング５ａおよび後軸４内に装着した隔壁部材６の底面６１に形成した貫通孔６ａに挿通させて配設してある。また、ボールペン体２０は、樹脂パイプからなる軸部２０ａを、後軸３内のコイルスプリング５ｂおよび後軸３内に装着した隔壁部材６の底面６１に形成した貫通孔６ｂに挿通させて配設してある。本実施例では、コイルスプリング５ａ，５ｂを、隔壁部材６の底面６１および摺動部材１１，２１の支持部１１ａ，２１ａに当接させ、シャープペンシル体１０およびボールペン体２０を軸筒４の後方へ弾発する構造としてある。シャープペンシル体１０の軸部１０ａの前方にはシャープペンシル繰出機構１０ｂを設けてあり、ボールペン体２０の軸部２０ａの前方にはボールペンチップ２０ｂを設けてある。
【００１４】
図１示すように本実施例における軸筒４の後方部は、後軸３の後方部にクリップ７の基部７ａを延設してあり、クリップ７の基部７ａの上部に、蓋体８の蓋本体部８ａに延設した脚部８ｂを回動可能なヒンジ構造として保持させてある。尚、蓋本体部８ａには二つの掛止孔８ｃを設けてあり、蓋本体部８ａを閉じた状態においては、後軸３に形成した二つの掛止爪３ｅを蓋本体部８ａの掛止孔８ｃに掛止させて、図２に示す軸筒４内のコイルスプリング５ａ，５ｂに弾発されたシャープペンシル体１０と、ボールペン体２０とが飛び出さないように蓋本体部８ａで押さえてある。
【００１５】
次に、本実施例のスライド繰出式多芯筆記具における繰出操作について説明を行う。図３に示すように、摺動部材２１の突部２１ｂを前進させたボールペン体２０は、軸筒４の前軸２に設けた先端開口部２ｂから、ボールペンチップ２０ｂを突出させている。さらに詳述すると、ボールペン体２０のボールペンチップ２０ｂを前軸２の先端開口部２ｂから突出させた状態においては、摺動部材２１の後方内側に形成した係止突起２１ｃが、後軸３の内面に形成した係止受部３ｆに係止して、ボールペンチップ２０ｂが軸筒４の先端開口部２ｂから突出した状態を維持できる。尚、ボールペン体２０の軸部２０ａは可撓性を有する樹脂パイプで形成してあり、また摺動部材２１の圧入部２１ｅがボールペン体２０の軸部２０ａに圧入されていることから、ボールペンチップ２０ｂが軸筒４の先端開口部２ａ側に向かうときには、図３に示すように、軸部２０ａが撓むことにより摺動部材２１に対して軸部材２０ａが傾斜する構造である。
【００１６】
また図３の状態から、摺動部材１１の突部１１ｂを前方へスライドさせることで、摺動部材１１に形成した係止解除突起１１ｄにより、後軸３の係止受部３ｆに係止してある摺動部材２１の係止突起２１ｃを解除して、ボールペン体２０のボールペンチップ２０ｂを軸筒４内に没入させ、さらに摺動部材１１を前進させることにより、摺動部材１１の後端部に形成した係止突起１１ｃを後軸３の係止受部３ｆに係止させ、図４，図５に示すように、シャープペンシル体１０の先端部１０ｃを軸筒４の先端開口部２ｂから突出した状態で維持させることができる。このような出没操作は、後軸３の切欠窓３ｂ，３ｃから突出させた各摺動部材の突部をスライドさせることによって繰り返し行なえる。尚、本実施例のシャープペンシル体１０の鉛芯繰出機構１０ｂは、摺動部材１１のノック操作により、軸部１０ａを介して、鉛芯繰出機構１０ｂの前方を前軸２の内面に当接させて、先端部１０ｃから鉛芯（図示せず）を繰り出す一般的なシャープペンシル機構であるため説明は省略する。
【００１７】
次に図６を用いて本実施例における筆記体と摺動部材との連結構造について説明を行う。図６は、図５に示してあるシャープペンシル体を操作した状態の要部拡大図で、図７は斜視図である。本実施例の摺動部材１１の下方部には、シャープペンシル体１０の軸部１０ａの内側で遊嵌する接続部１１ｅを設けてあり、接続部１１ｅの上方位置に、軸部１０ａの上端縁１０ｄの中央部と当接する当接部１１ｆと、当接部１１ｆを基点に両側の上方へ向かって傾斜する傾斜部１１ｇ，１１ｈを形成してある。図５に示すように、シャープペンシル体１０を操作した状態においては、先端部１０ｃが軸筒４の先端開口部２ａ側に向かい、図６に示すように、摺動部材１１に対して軸部１０ａが、カシメ部１０ｅを支点に傾くこととなるが、前述の通り本実施例では、摺動部材１１に傾斜部１１ｇを設けてあることから、軸部材１０ａが摺動部材１１に対して傾く際に、軸部１０ａの上端縁１０ｄが傾斜部１１ｇ側に傾くことができ、シャープペンシル体１０の金属パイプからなる軸部１０ａを撓ますことなく図５に示すように傾斜させて、先端部１０ｃが突出した状態を維持できた。
【００１８】
次に図８，図９を用いて、摺動部材に筆記体の軸部をカシメる工程について説明を行う。本実施例では、図に示すように、摺動部材１１の接続部１１ｅを軸部１０ａに遊嵌させ、軸部１０ａの上端縁１０ｄを摺動部材１１の当接部１１ｆへ当接させて位置決めを行い、軸部１０ａの両側面よりカシメポンチ１００でカシメを行い、図９に示すようにカシメ部１０ｅを設け、摺動部材と軸部とを相互に揺動可能に連結を行った。
【００１９】
次に、図１０，図１１を用いて、軸筒４内にシャープペンシル体１０およびボールペン体２０を装着するときの説明を行う。本実施例では図１０に示すように、軸筒４へのボールペン体２０の装着持において、係止受部３ｆに対して摺動部材２１の支持部２１ａが接触することとなるが、図１０に示すように、樹脂パイプからなる軸部２０ａを撓ませて、摺動部材２１を矢印Ｖ方向に曲げるようにしながら装着することができた。
また、シャープペンシル体１０を軸筒４に装着するときには、図１０および図１１に示すように、摺動部材１１が軸部１０ａに対して、カシメ部１０ｅを支点に傾くこととなるが、前述の通り本実施例では、摺動部材１１に傾斜部１１ｈを設けてあることから、摺動部材１１が軸部材１０ａに対して傾むくときに、軸部１０ａの上端縁１０ｄが傾斜部１１ｇ側に傾くことができ、金属パイプからなる軸部１０ａが変形することなく、摺動部材１１が矢印Ｗ方向に曲がるようにしながら装着することができた。
【００２０】
尚、本実施例のシャープペンシル体１０の軸部１０ａと摺動部材１１との関係は、シャープペンシル体１０の軸部１０ａの中心に対して、摺動部材１１の当接部１１ｆを一致させており、且つ軸部１０ａのカシメ部１０ｅを支点に回動させることから、回動した際には、摺動部材１１の当接部１１ｆと軸部１０ａの上端縁１０ｄが擦れることとなるが、金属パイプからなる軸部１０ａの上端縁１０ｄによって樹脂材からなる摺動部材１１の当接部１１ｆが軸部１０ａによって、馴染ませることができる。したがって、この場合には、当接部１１ｆを削れやすい鋭角としたり、当接部１１ｆの先端を小さな突起としてもよい。
【産業上の利用可能性】
【００２１】
本発明は、筆記体として、特開平７−２９０８８５号公報に見られるような樹脂チップを先端に有した入力ペンや、特開２００７−３８６３５号公報に見られるような棒状消しゴムを先端から繰出す構造の消しゴム繰出体など、軸筒内へ収容できるものに利用可能である。
【符号の説明】
【００２２】
１…繰出式多芯筆記具、
２…前軸、２ａ…雌螺子部、２ｂ…先端開口部、
３…後軸、３ａ…雄螺子部、３ｂ，３ｃ，３ｄ…切欠窓、
３ｅ…掛止爪、３ｆ…係止受部、
４…軸筒本体、
１０…シャープペンシル体、１０ａ…軸部、１０ｂ…繰出機構、
１０ｃ…先端部、
１０ｄ…上端縁、１０ｅ…カシメ部、
１１…摺動部材、１１ａ…支持部、１１ｂ…突部、
１１ｃ…係止突起、１１ｄ…係止解除突起、１１ｅ…接続部、
１１ｆ…当接部、１１ｇ，１１ｈ…傾斜部、
２０…ボールペン体、２０ａ…軸部、２０ｂ…ボールペンチップ、
２１…摺動部材、２１ａ…支持部、２１ｂ…突部、
２１ｃ…係止突起、２１ｄ…係止解除突起、２１ｅ…圧入部、
４０…ボールペン体、４１…摺動部材、
５ａ，５ｂ…コイルスプリング、
６…隔壁部材、６１…底面、６ａ，６ｂ…貫通孔、
７…クリップ、７ａ…基部、
８…蓋体、８ａ…蓋本体部、８ｂ…脚部、８ｃ…掛止孔。
【図１】
2011011375.tif 000003
【図２】
2011011375.tif 000004
【図３】
2011011375.tif 000005
【図４】
2011011375.tif 000006
【図５】
2011011375.tif 000007
【図６】
2011011375.tif 000008
【図７】
2011011375.tif 000009
【図８】
2011011375.tif 000010
【図９】
2011011375.tif 000011
【図１０】
2011011375.tif 000012
【図１１】
2011011375.tif 000013
【図１２】
2011011375.tif 000014
【図１３】
2011011375.tif 000015